(57)【要約】【課題】  足指の挿入がし易くてつま先への感触も良く、しかも、つま先部分が滑り難い５本指靴下を提供する。【解決手段】  足指を含むつま先が挿入されるつま先部分１の内面に平編みの表目組織が縦筋状に並んで現れているため、足指の挿入がし易くなり、つま先部分１の内面側となる表目組織は、裏目組織Ｃに較べて糸量が多く緻密であるため、足指を含むつま先への感触も良くなる。しかも、足指が挿入される袋状部１Ａ〜１Ｅの湾曲部を絞り込んで形成する裏目組織の裏糸が裏目組織と共につま先部分１の外面側に裏返されているため、袋状部１Ａ〜１Ｅの内面の糸量の多い表目組織が足指に良くフィットするようになり、足指への感触が一層良くなる。そして、つま先部分１の外面には平編みの裏目組織Ｃが横筋状に並んで現れているため、この５本指靴下を着用して靴を履いた場合でもつま先部分１が靴内で滑り難くなる。【選択図】  図１
2006274459.tif 000002
【特許請求の範囲】
【請求項１】
つま先部分とつま先部分を除く本体部分とが別個に編成され、両者が一体に縫合されてなる５本指靴下であって、
前記つま先部分は平編みで編成されており、その平編みの横筋状に並ぶ裏目組織が外面に現れていることを特徴とする５本指靴下。
【請求項２】
前記つま先部分に対する本体部分の縫合部がゴム編みで編成されていることを特徴とする請求項１に記載の５本指靴下。
【発明の詳細な説明】
【技術分野】
【０００１】
この発明は、靴下に関し、詳しくは、つま先部分に５本の足指を各別に挿入できるようにした５本指靴下に関するものである。
【背景技術】
【０００２】
従来、つま先部分に５本の足指を各別に挿入できるようにした５本指靴下が一般に知られている。この種の５本指靴下として、特許文献１には、つま先部分とつま先部分を除く本体部分とを別個に編成し、両者を一体に縫合してなる５本指靴下が開示されている。ここで、つま先部分は横編み機を使用して平編みにて編成し、本体部分は丸編み機を使用して筒状に編成することが記載されている。
【特許文献１】特開２００２−２０１５０１号公報（段落番号０００５、図１）
【発明の開示】
【発明が解決しようとする課題】
【０００３】
特許文献１に開示された５本指靴下においては、本体部分が丸編み機を使用して筒状に編成されているため、足へのフィット性の向上が期待できる。しかしながら、つま先部分が平編みであって、足指を含むつま先が挿入される内面には平編みの裏目組織が横筋状に並んで現れているため、足指の挿入に抵抗があって履きにくい。
【０００４】
また、平編みの裏目組織は表目組織に較べて糸量が少なく粗いため、つま先への感触が悪い。しかも、足指が挿入される袋状部の湾曲部を絞り込んで形成する裏目組織の裏糸が袋状部の内面側にあるため、一般に袋状部の足指へのフィット感が悪く、糸量の少ない裏目組織と相俟って足指への感触が一層悪くなる。
【０００５】
さらに、特許文献１に開示された５本指靴下においては、つま先部分の外面に平編みの表目組織が縦筋状に並んで現れているため、靴を履いた場合、靴内でつま先部分が滑り易いという問題もある。
【０００６】
そこで、この発明は、足指の挿入がし易くてつま先への感触も良く、しかも、つま先部分が滑り難い５本指靴下を提供することを課題とする。
【課題を解決するための手段】
【０００７】
この発明に係る５本指靴下は、つま先部分とつま先部分を除く本体部分とが別個に編成され、両者が一体に縫合されてなる５本指靴下であって、前記つま先部分は平編みで編成されており、その平編みの横筋状に並ぶ裏目組織が外面に現れていることを特徴とする。
【０００８】
この発明に係る５本指靴下では、足指を含むつま先が挿入されるつま先部分の内面に平編みの表目組織が縦筋状に並んで現れているため、足指の挿入がし易くなる。また、つま先部分の内面側の表目組織は、裏目組織に較べて糸量が多く緻密であるため、足指を含むつま先への感触も良くなる。
【０００９】
しかも、足指が挿入される袋状部の湾曲部を絞り込んで形成する裏目組織の裏糸が裏目組織と共につま先部分の外面側に裏返されているため、袋状部の内面の糸量の多い表目組織が足指に良くフィットするようになり、足指への感触が一層良くなる。
【００１０】
そして、つま先部分の外面には平編みの裏目組織が横筋状に並んで現れているため、この５本指靴下を着用して靴を履いた場合でもつま先部分が靴内で滑り難くなる。
【００１１】
この発明に係る５本指靴下において、つま先部分に対する本体部分の縫合部がゴム編で編成されていると、つま先部分の履きずれが減少するため、良好な履き心地が得られる。
【００１２】
また、つま先部分が薄手に編成されていると、つま先部分が嵩張らないため、靴を履いた場合にも良好な履き心地が得られると共に、足指の通気性が良くなる。
【００１３】
一方、本体部分が厚手に編成されていると保温性および耐久性が向上し、本体部分が丸編で編成されていると足へのフィット性が向上する。この本体部分は、編成方法およびデザインに自由度があるため、パイル編みとしたり各種の色柄とすることができる。
【発明の効果】
【００１４】
本発明に係る５本指靴下によれば、足指を含むつま先が挿入されるつま先部分の内面に平編みの表目組織が縦筋状に並んで現れているため、足指の挿入がし易くなる。また、つま先部分の内面側となる表目組織は、裏目組織に較べて糸量が多く緻密であるため、足指を含むつま先への感触も良くなる。
【００１５】
しかも、足指が挿入される袋状部の湾曲部を絞り込んで形成する裏目組織の裏糸が裏目組織と共につま先部分の外面側に裏返されているため、袋状部の内面の糸量の多い表目組織が足指に良くフィットするようになり、足指への感触が一層良くなる。
【００１６】
そして、つま先部分の外面には平編みの裏目組織が横筋状に並んで現れているため、この５本指靴下を着用して靴を履いた場合でもつま先部分が靴内で滑り難くなる。
【００１７】
この発明に係る５本指靴下において、つま先部分に対する本体部分の縫合部がゴム編で編成されていると、つま先部分の履きずれが減少するため、良好な履き心地が得られる。
【発明を実施するための最良の形態】
【００１８】
以下、図面を参照してこの発明に係る５本指靴下の実施の形態を説明する。参照する図面において、図１は一実施形態に係る５本指靴下の全体斜視図、図２は図１に示した５本指靴下の分解背面図である。
【００１９】
図１に示すように、一実施形態に係る５本指靴下は、５本の足指が個別に挿入される５つの袋状部１Ａ〜１Ｅが編成されたつま先部分１と、つま先部分１に連続する略筒状に編成されて履口部２Ａおよび踵部２Ｂを有する本体部分２とで構成されている。
【００２０】
この５本指靴下は、図２に示すように、つま先部分１と本体部分２とがそれぞれ別個に編成される。すなわち、つま先部分１は、従来周知の横編機を使用した平編みにより、５つの袋状部１Ａ〜１Ｅおよび縫合用の開口部１Ｆを有する形状に編成される。なお、つま先部分１は、厚手に編成されていると足指部分の保温性が得られるが、薄手に編成されていると足指部分の通気性が得られると共に、嵩張らないため、靴を履いた場合にも良好な履き心地が得られる。
【００２１】
一方、本体部分２は、従来周知の丸編機を使用した横編みにより、履口部２Ａ、踵部２Ｂおよび縫合用の開口部２Ｃを有する略筒状の形状に編成される。履口部２Ａは、ふくらはぎにフィットするようにゴム編みとされると共に、適宜の弾性糸（ゴム糸）が伸張状態で編み込まれている。
【００２２】
また、本体部分２の開口部２Ｃ付近は、つま先部分１の履きずれを減少させるため、ゴム編みとされている。なお、本体部分２は、保温性が得られるようにパイル編みによって厚手に編成してもよいし、通気性が得られるようにメッシュ編みとしてもよい。
【００２３】
ここで、図３および図４により平編みの編目組織を説明し、図５および図６によりつま先部分１の袋状部１Ａ〜１Ｅの編成について説明すると、図３に示す表目組織Ｗは、給糸方向であるコース方向と直交するウェール方向に沿って太線で表すように縦筋状に並んでいる。また、図４に示す裏目組織Ｃは、コース方向に沿って太線で表すように横筋状に並んでいる。ここで、図３に太線で表した表目組織Ｗと、図４に太線で表した裏目組織Ｃとを比較してみると、表目組織Ｗは裏目組織Ｃに較べて糸量が多く緻密であることが解かる。
【００２４】
一方、図５は袋状部１Ａ〜１Ｅのうちの任意の袋状部の先端の湾曲部をウェール方向に展開して示すウェール方向展開図であり、図６は袋状部の先端の湾曲部をコース方向に展開して示すコース方向展開図である。図５および図６に示すように、袋状部の先端の湾曲部は、先端側の編み目数を順次減少させると共に、ウェール方向に延びる裏糸Ｗ１（図５参照）およびコース方向に延びる裏糸Ｃ１（図６参照）を絞り込んで形成される。
【００２５】
このように平編みにより編成された袋状部１Ａ〜１Ｅを有するつま先部分１は、横筋状に並ぶ裏目組織Ｃと共に裏糸Ｗ１および裏糸Ｃ１が外面に現れるように裏返しにされる。一方、本体部分２は、つま先部分１と同様に裏返しにしてもよいが、通常、縦筋状に並ぶ表目組織Ｗが外面に現れるようにそのままの状態とされる。
【００２６】
即ち、図７（ａ）に示すように、編成されたままの状態であれば、点線で示す裏目Ｃよりも実線で示す表目Ｗの方が膨らんだ状態となっており、編成後にプレスして仕上げた状態では一層角張った状態となる。袋状部を編み上げるときは、湾曲面の下端の部分では表目を絞りきれず角張った状態になるのを防止できなかった。
【００２７】
編成後に裏返しすることによって、表目組織を絞り込むように引っ張っている裏糸が表側に表れ、裏糸は表目組織を包み込むことになるので、図７（ｂ）に示すように、角張っていた部分が内側に入り、つま先部分は湾曲面となる。従って、足指を入れたときには、指にぴったりフィットすることになる。
【００２８】
裏返しにされたつま先部分１の開口部１Ｆ（図２参照）は、本体部分２の開口部２Ｃ（図２参照）に縫合される。この縫合は、例えばリンキング方式により、本体部分２の開口部２Ｃを構成する編み目の各ループと、つま先部分１の開口部１Ｆを構成する編み目の各ループとを一対一でかがって縫合する。なお、この縫合方式は、編み目より細かく縫合するオーバーロック方式や、オーバーロック方式より更に細かく縫合するロッソ方式としてもよい。
【００２９】
以上のように構成された一実施形態の５本指靴下では、足指を含むつま先が挿入されるつま先部分１の内面に平編みの表目組織Ｗ（図３参照）が縦筋状に並んで現れているため、この５本指靴下を着用する際、足指の挿入がし易くなる。また、つま先部分１の内面側の表目組織Ｗは、裏目組織Ｃに較べて糸量が多く緻密であるため、足指を含むつま先への感触も良くなる。
【００３０】
しかも、足指が挿入される袋状部１Ａ〜１Ｅの湾曲部を絞り込んで形成する裏目組織Ｃ側の裏糸Ｗ１および裏糸Ｃ１が裏目組織Ｃと共につま先部分１の外面側に裏返されているため、袋状部１Ａ〜１Ｅの内面の糸量の多い表目組織Ｗが足指に良くフィットするようになり、足指への感触が一層良くなる。
【００３１】
そして、つま先部分１の外面には平編みの裏目組織Ｃが横筋状に並んで現れているため、この５本指靴下を着用して靴を履いた場合でもつま先部分１が靴内で滑り難くなる。
【００３２】
また、つま先部分１に対する本体部分２の縫合部、すなわち開口部２Ｃ付近がゴム編で編成されているため、つま先部分１の履きずれが減少し、良好な履き心地が得られる。
【００３３】
この発明に係る５本指靴下は、前述した一実施形態に限定されるものではなく、例えば図１に示した本体部分２は、つま先部分１と別個に編成されるため、デザインに自由度があり、材質を変更したり、適宜のデザイン編みや色柄とすることが可能である。また、一実施形態では、踵付の靴下について説明したが、踵無しの靴下であってもよいのは勿論である。
【図面の簡単な説明】
【００３４】
【図１】本発明の一実施形態に係る５本指靴下の全体斜視図である。
【図２】図１に示した５本指靴下の分解背面図である。
【図３】図１に示したつま先部分の内面に縦筋状に並んで現れる平編の表目組織の部分拡大図である。
【図４】図１に示したつま先部分の外面に横筋状に並んで現れる平編の裏目組織の部分拡大図である。
【図５】図１に示したつま先部分における袋状部の先端湾曲部のウェール方向展開図である。
【図６】図１に示したつま先部分における袋状部の先端湾曲部のコース方向展開図である。
【図７】図７（ａ）は表目組織は表に現れた従来のつま先部分の形状を示す要部正面図、図７（ｂ）はこの発明に係るつま先部分の形状を示す要部正面図である。
【符号の説明】
【００３５】
１    つま先部分
１Ａ〜１Ｅ  袋状部
１Ｆ  開口部
２    本体部分
２Ａ  履口部
２Ｂ  踵部
２Ｃ  開口部
Ｃ    裏目組織
Ｃ１  裏糸
Ｗ    表目組織
Ｗ１  裏糸
【図１】
2006274459.tif 000003
【図２】
2006274459.tif 000004
【図３】
2006274459.tif 000005
【図４】
2006274459.tif 000006
【図５】
2006274459.tif 000007
【図６】
2006274459.tif 000008
【図７】
2006274459.tif 000009